(57)【要約】【課題】袋の縫製作業において、開口部に備えるファスナーの取り付け作業の効率化が望まれる点である。【解決手段】開口幅を設けるに必要な幅を確保した状態で仕切り材をファスナーの内部面のエレメントと交差させ、該交差した部分を開口の仕切り部とし、該仕切られた一方の開口部の一側テープに、一方の開口幅の一側の外袋材と一方の仕切り材を重ね合わせ、他側テープには、一方の開口幅の他側の外袋材のみを重ね合わせ、前記仕切られた他方の開口部の一側テープに、他方の開口幅の一側の外袋材のみを重ね合わせ、他側テープには他方の開口幅の他側の外袋材と他方の仕切り材を重ね合わせた状態で夫々の開口部周縁が縫合されて前記開口部が形成され、前記外袋材と仕切り材の側と底の端部を縫合することで袋体を形成する。【選択図】図１
2018079934.tif 000002
【特許請求の範囲】
【請求項１】
複数の外袋材と該外袋材の間に位置する仕切り材とで構成された袋体の開口部に一連のファスナーを備えて形成された袋体において、該袋体に備えた前記ファスナーの適宜位置を袋内部で交差する前記仕切り材により開閉自在な開口部とその収納部が仕切られ、該仕切られた一方の開口部の一側テープに、一方の開口幅の一側の外袋材と仕切り材を重ね合わせ、他側テープには、一方の開口幅の他側の外袋材のみを重ね合わせ、前記仕切られた他方の開口部の一側テープに、他方の開口幅の一側の外袋材のみを重ね合わせ、他側テープには他方の開口幅の他側の外袋材と仕切り材を重ね合わせた状態で夫々の開口部周縁が縫合されて開口部が形成され、該開口部が形成された前記外袋材と仕切り材の側と底の端部が縫合されて前記収納部が形成された前記袋体は、前記一連のファスナーを用いて前記外袋材と略同じ形状の重層する複数の収納部とその開口部を備えて成ることを特徴とする袋体。
【請求項２】
袋体は、二枚の仕切り材で仕切られた一方の開口部の一側テープに、一方の開口幅の一側の外袋材と二枚の仕切り材を重ね合わせ、他側テープには、一方の開口幅の他側の外袋材のみを重ね合わせ、前記仕切られた中央の開口部の一側テープに、中央の開口幅の一側の外袋材と一枚の仕切り材を重ね合わせ、他側テープには、中央の開口幅の他側の外袋材と一枚の仕切り材を重ね合わせ、前記仕切られた他方の開口部の一側テープに、他方の開口幅の一側の外袋材のみを重ね合わせ、他側テープには他方の開口幅の他側の外袋材と二枚の仕切り材を重ね合わせた状態で夫々の開口部周縁が縫合されて開口部が形成されたことにより重層する三ヵ所の収納部とその開口部を備えたことを特徴とする請求項１記載の袋体。
【請求項３】
袋体は、重層する複数の収納部とその開口部を、底を連結した状態で左右に備えたことを特徴とする請求項１又は２記載の袋体。
【請求項４】
袋体は、枕材を収納する枕材収納袋であることを特徴とする請求項１〜３のいずれか１項に記載の袋体。
【発明の詳細な説明】
【技術分野】
【０００１】
本発明は、一連のファスナーを用いて外袋材と略同じ形状の重層する複数の収納部とその開口を有する袋体に関するものである。
【背景技術】
【０００２】
物品を収納する袋において、物品を出し入れする開口は、ファスナーを備えることで開閉自在とする利点があるので、夫々の開口部にファスナーを備えることでその開口を開閉自在とするのみの利用で実用上十分であった。
【０００３】
しかし、連なった開口、または、重層する複数の収納部の開口を開閉自在とするには夫々の開口部に夫々のファスナーを備える必要があった。
【０００４】
そこで、物品収納空間ごとに収納物品の円滑な入れ出し作業を簡便に実現できると共に、物品収納空間ごとに収納物品を区分け管理できるファスナー付き袋体として特許文献１があり、その解決手段として、仕切り壁１１０が、ファスナー１２０との間に、物品収納時に隣り合う物品収納空間Ｓ１〜Ｓ４における収納物品Ｔ１〜Ｔ８の相互移動を阻止すると共に収納物品取り出し時に物品収納空間Ｓ１〜Ｓ４の奥行きを縮小する間口拡大用間隙を介して設けられ、収納物品Ｔ１〜Ｔ８取り出し対象となる物品収納空間Ｓ１〜Ｓ４の開口を拡大させると共に次期取り出し対象となる収納物品の不用意な外部飛び出しを阻止するスライダー１３０の一時停止位置１４１を示す一時停止位置表持部１４０が、ファスナー１２０に沿って各々の区画ごとに袋体１０１に設けられたものがある。
【０００５】
しかし、特許文献１は一連のファスナーに沿って各々の区画ごとに一連の袋体が設けられたものであり、一連のファスナーを用いて重層する複数の収納部とその開口を備えたものではなく本発明の目的に叶うものではない。
【先行技術文献】
【特許文献】
【０００６】
【特許文献１】特開２００６−１９９３１１号公報
【発明の概要】
【発明が解決しようとする課題】
【０００７】
解決しようとする問題点は、外袋材と略同じ形状の重層する複複数の収納部とその開口を有する袋を縫製するには、夫々の開口に夫々のファスナーが必要であり、この開口部に備えるファスナーの縫合作業には効率化が望まれる点である。
【課題を解決するための手段】
【０００８】
本発明の袋体は、一連のファスナーを交差する仕切り材と外袋材の組み合わせにより、該外袋材と略同じ形状の重層する複複数の収納部とその開閉自在な開口を有することを最も主要な特徴とする。
【０００９】
本発明の請求項１に係る袋体は、複数の外袋材と該外袋材との間に位置する仕切り材とで構成され、開口部に一連のファスナーを備えて形成された袋体において、該袋体に備えた前記ファスナーの適宜位置を、袋の内部で交差する一枚の仕切り材により前記開口部とその収納部が仕切られる構造とする。
該仕切られた一方の開口部の一側テープに、一方の開口幅の一側の外袋材と仕切り材を重ね合わせ、他側テープには、一方の開口幅の他側の外袋材のみを重ね合わせ、前記仕切られた他方の開口部の一側テープに、他方の開口幅の一側の外袋材のみを重ね合わせ、他側テープには他方の開口幅の他側の外袋材と仕切り材を重ね合わせた状態で夫々の開口部周縁を縫合して開口部を形成する。
該開口部が形成された前記外袋材と仕切り材の、側と底の端部を縫合することで前記収納部が形成された前記袋体は、前記一連のファスナーを用いて前記外袋材と略同じ形状の重層する複数の収納部とその開口部を備えたことを最も主要な特徴とするものである。
【００１０】
また、本請求項２に係る発明の袋体は、二枚の仕切り材で仕切られた一方の開口部の一側テープに、一方の開口幅の一側の外袋材と二枚の仕切り材を重ね合わせ、他側テープには、一方の開口幅の他側の外袋材のみを重ね合わせ、前記仕切られた中央の開口部の一側テープに、中央の開口幅の一側の外袋材と一枚の仕切り材を重ね合わせ、他側テープには、中央の開口幅の他側の外袋材と一枚の仕切り材を重ね合わせ、前記仕切られた他方の開口部の一側テープに、他方の開口幅の一側の外袋材のみを重ね合わせ、他側テープには他方の開口幅の他側の外袋材と二枚の仕切り材を重ね合わせた状態で夫々の開口部周縁が縫合されて開口部が形成されたことにより重層する三ヵ所の収納部とその開口部を備えたことを特徴とする袋体である。
【００１１】
また、本請求項３に係る発明の袋体は、重層する複数の収納部とその開口を、前記収納部を連結した状態で左右に備え、該収納部の適宜位置を横断するように縫合して底を形成したことを特徴とする袋体である。
【００１２】
さらに、本請求項４に係る発明の袋体は、枕材を収納する枕材収納袋に最適である。
【発明の効果】
【００１３】
本発明の袋体は、一連のファスナーに仕切り材を交差させただけで、外袋材と略同じ形状の重層する複数の収納部とその開閉自在な開口が形成され、複数のファスナーを使用することなく、縫製作業の効率化と材料費を削減するという利点があり、枕材収納袋に用いて上下の枕材を増減することで高さ、硬さ、クッション性が調整できるので最適である。
【図面の簡単な説明】
【００１４】
【図１】図１は袋体Ａを簡略に示した説明図である。（実施例１）
【図２】図２は袋体Ａの開口部を一部拡大してその断面を簡略に示した説明図である。
【図３】図３は袋体Ｂの開口部を一部拡大してその断面を簡略に示した説明図である。（実施例２）
【図４】図３は連結した袋体Ａ´を簡略に示した説明図である。（実施例３）
【発明を実施するための形態】
【００１５】
外袋材と略同じ形状の重層する複数の収納部とその開閉自在な開口部を備えた袋体を、一連のファスナーに仕切り材を交差させることで実現した。
【実施例１】
【００１６】
図１は本発明の袋体Ａを簡略に示した実施例１の説明図であって、１は一連のファスナーであり、２は一側テープであり、２´は他側テープであり、３は一方の開口部であり、３´は他方の開口部であり、５は一側の外袋材であり、５´は他側の外袋材であり、６はスライダーであり、７はエレメントであり、８は仕切り部であり、図は向かって左右であり、上下である。
【００１７】
袋体Ａは一側の外袋材５及び他側の外袋材５´と、一枚の仕切り材４、４´と、一連のファスナー１から成り、その形状は略長方形であって、該形状を成した状態で重層する一方の収納部９と、他方の収納部９´と、一方の収納部の開口部３及び他方の収納部の開口部３´を有する布袋である。
【００１８】
図２は本発明の袋体Ａを構成する資材の組み合わせについて、開口の仕切り部の周縁を表返しした状態で一部拡大して簡略に示した説明図であり、一連のファスナー１は、重ね合わせた一側の外袋材５及び他側の外袋材５´の間に位置する一枚の仕切り材４、４´との開口方向の端部に備えるとよく、一連のファスナー１のスライダー６の引き手は、袋体Ａの外部面となるように備えるとよい。開口の開口幅は適宜に備えるとよく、該開口幅を備えるに必要な幅を確保した状態で仕切り材４、４´の端部をファスナー１の内部面のエレメント７と交差させ、該交差した部分を開口の仕切り部８とするとよい。該仕切り部８の一側テープ２及び他側テープ２´をスライダー６が通過可能な状態に重ね合わせて仕切り材の端部と縫合することで、一方の開口部３と他方の開口部３´とに仕切ると共に、その一方の収納部９と、他方の収納部９´とに仕切られる。
【００１９】
仕切られた一方の開口部３の一側テープ２に、一方の開口幅の一側の外袋材５と一方の仕切り材４の端部を重ね合わせ、他側テープ２´には、一方の開口幅の他側の外袋材５´の端部のみを重ね合わせた状態とし、
仕切られた他方の開口部３´の一側テープ２に、他方の開口幅の一側の外袋材５の端部のみを重ね合わせ、他側テープ２´には他方の開口幅の他側の外袋材５´と他方の仕切り材４´を重ね合わせた状態で夫々の開口部周縁を縫合して、一方の開口部３と他方の開口部３´を形成するとよい。一側の外袋材５及び他側の外袋材５´と仕切り材４とを重ね合わせて側と底を縫合するとよく、一方の開口部３または他方の開口部３´のいずれかの開口を使って表返しをした袋体Ａは、一連のファスナー１を用いて一側の外袋材５及び他側の外袋材５´と、略同じ形状の重層する一方の収納部９及び他方の収納部９´と、その一方の開口部３及び他方の開口部３´を備えた。
【実施例２】
【００２０】
図３は本発明の袋体Ｂを構成する資材の組み合わせについて、開口の仕切り部の周縁を表返しした状態で一部拡大して簡略に示した説明図であり、袋体Ｂは、二枚の仕切り材４及び４０で仕切られた仕切り部８及び８´とし、一方の開口部３の一側テープ２に、一方の開口幅の一側の外袋材５と二枚の仕切り材４及び４０を重ね合わせ、他側テープ２´には、一方の開口幅の他側の外袋材５´のみを重ね合わせ、前記仕切られた中央の開口部３０の一側テープ２に、中央の開口幅の一側の外袋材５と一枚の仕切り材４０を重ね合わせ、他側テープ２´には、中央の開口幅の他側の外袋材５´と一枚の仕切り材４´を重ね合わせ、前記仕切られた他方の開口部３´の一側テープ２に、他方の開口幅の一側の外袋材５のみを重ね合わせ、他側テープ２´には他方の開口幅の他側の外袋材５´と二枚の仕切り材４´及び４０´を重ね合わせた状態で夫々の開口部周縁を縫合して開口部を形成することにより重層する三ヵ所の収納部とその開口部を備えた。
【００２１】
尚、これら縫合による資材の端部は袋の内部に収めることは勿論のこと、開口部のカバー部分（ミミ）はあっても良く、なくても良いものとする。また、側と底を縫合する際はファスナーを開けた状態で縫合しないと開口部３、３´、３０のいずれかを使って表返しができなくなる。
【実施例３】
【００２２】
図４は本発明の袋体Ａ´を簡略に示した説明図であって、袋体Ａ´は、重層する複数の収納部である一方の収納部９及び他方の収納部９´と、その開口部である一方の開口部３及び他方の開口部３´を、底の端部１０を連結した状態で左右に備えると良く、袋体Ａを製作する要領で重層する複数の収納部９  ９´とその開口部３、３´を左右に備えた後に側を縫合し、表返しをした後に上下の側の端部から端部へ適宜位置を横断するように縫合して底１０とすると良い。
【００２３】
袋体Ａ、Ａ´は、枕材を収納する枕材収納袋に最適である。
【００２４】
このように、一連のファスナーに仕切り材を交差させただけで、外袋材と略同じ形状の重層する複数の収納部とその開閉自在な開口を形成することができる。
【産業上の利用可能性】
【００２５】
縫製作業の効率化と材料費を削減するという利点があり、枕材収納袋として用いることで、上下に特性の異なる枕材を充填してその枕材を増減することで高さ、硬さ、クッション性等が調整できるので好適である。
【符号の説明】
【００２６】
Ａ  Ａ´Ｂ  袋体
１          一連のファスナー    
２          一側テープ
２´        他側テープ
３０        中央の開口部
３          一方の開口部
３´        他方の開口部
４０        中央の仕切り材
４          一方の仕切り材
４´        他方の仕切り材
５          一側の外袋材
５´        他側の外袋材
６          スライダー
７          エレメント
８  ８´    仕切り部
９０        中央の収納部
９          一方の収納部
９´        他方の収納部
１０        底
【図１】
2018079934.tif 000003
【図２】
2018079934.tif 000004
【図３】
2018079934.tif 000005
【図４】
2018079934.tif 000006
【手続補正書】
【提出日】平成29年3月8日(2017.3.8)
【手続補正１】
【補正対象書類名】特許請求の範囲
【補正対象項目名】全文
【補正方法】変更
【補正の内容】
【特許請求の範囲】
【請求項１】
袋体は、該袋体の外部を形成する外袋材と、該外袋材の内部を仕切る仕切り材と、該仕切り材により仕切られた複数の収納部と、該収納部の開口部に備えた一連のファスナーとで構成され、前記仕切り材が前記ファスナーの適宜位置で交差する部分を前記開口部の仕切り部とし、
該仕切り部で仕切られた一方の開口部は、一側テープに一方の一側の外袋材と仕切り材を重ね合わせ、一方の他側テープに一方の他側の外袋材のみを重ね合わせ、
仕切られた他方の開口部は、一側テープに他方の一側の外袋材のみを重ね合わせ、他側テープには他方の他側の外袋材と仕切り材を重ね合わせた状態で、夫々の開口部周縁を縫合して前記開口部とし、
前記収納部は、前記開口部において、前記仕切り材を介して一方の一側の外袋材と縫合した一方の収納部と、他方の他側の外袋材と縫合した他方の収納部とで形成したことにより、
前記袋体は、一連のファスナーを用いて外袋材と略同じ形状の重層する複数の収納部と、その開口部を備えたことを特徴とする袋体。
【請求項２】
袋体は、重層する複数の収納部とその開口部を、底を連結した状態で左右に備えたことを特徴とする請求項１記載の袋体。
【請求項３】
袋体は、枕材を収納する枕材収納袋であることを特徴とする請求項１又は２記載の袋体。